(57)【特許請求の範囲】
【請求項１】
散布剤タンク（４）内の散布剤を調量する調量弁（５）と、この調量弁（５）を操作する調量レバー（６）とを連動杆（８）を介して連動連結して成る散布機の調量装置において、調量弁（５）と一体に動作する杆受体（５２）と、該杆受体（５２）に対し相対運動可能なロック体（２０）とを備え、杆受体（５２）に、連動杆（８）の端部を受入れる受入凹入部（５３）を設けると共に、ロック体（２０）に、受入凹入部（５３）内の連動杆（８）と係合して該連動杆（８）の受入凹入部（５３）内での移動を規制する規制部（２５）を設けていることを特徴とする散布機の調量装置。
【請求項２】
ロック体（２０）は、弾性体（９）を介して支持され、弾性体（９）を撓ませながら規制部（２５）が受入凹入部（５３）内の連動杆（８）と係合するようにしている請求項１記載の散布機の調量装置。
【発明の詳細な説明】
【０００１】
【発明の属する技術分野】
本発明は薬剤・肥料等の散布剤を圃場等に散布する散布機の調量装置に関する。
【０００２】
【従来の技術】
従来、散布剤タンク内の散布剤を調量する調量弁と、この調量弁を操作する調量レバーとを連動杆を介して連動連結して成る散布機において、散布剤タンクは、散布作業後、タンク内に残留する散布剤を外部に出し易くしたりするため、着脱可能に取付られている。また、調量弁と連動杆との連結は、連動杆の一端部に屈曲部を介して嵌合軸部を設けると共に、調量弁と一体に動作する杆受体を突設し、この杆受体に、前記連動杆の嵌合軸部を受入れる嵌合孔を設け、この嵌合孔に前記嵌合軸部を挿嵌することにより互いに連結するように構成されている。そして、散布剤タンクを取外す場合、嵌合軸部を嵌合孔から抜き出して、調量弁と連動杆との連結を解除するようにしている。また、嵌合孔に挿嵌した嵌合軸部の端部には、松葉ピンを着脱可能に取付け、この松葉ピンを抜き取ることにより嵌合軸部を嵌合孔から抜き出すことができるようにしている。
【０００３】
【発明が解決しようとする課題】
ところが、この従来のものは、調量弁と連動杆との連結が、連動杆の嵌合軸部を、調量弁と一体に動作する杆受体の嵌合孔に挿嵌して連結するようになっているため、嵌合軸部と嵌合孔との寸法交差が大きい場合は、調量弁と連動杆との連結・離脱操作を容易にできる反面、調量レバーの揺動角に対する調量弁の開度の精度が悪くなる不具合があり、また、嵌合軸部と嵌合孔との寸法公差が小さい場合は、調量レバーの揺動角に対する調量弁の開度の精度を良好にできる反面、調量弁と連動杆との連結・離脱操作が行い難くなる不具合があった。
【０００４】
本発明は、調量レバーの揺動角に対する調量弁の開度の精度が良好に得られて、しかも、調量弁と連動杆との連結・離脱操作を容易に行うことができる調量装置を提供することを主たる目的とする。
【０００５】
【課題を解決するための手段】
本発明は、上記目的を達成するために、請求項１記載の発明は、図１に示すように、散布剤タンク４内の散布剤を調量する調量弁５と、この調量弁５を操作する調量レバー６とを連動杆８を介して連動連結して成る散布機の調量装置において、調量弁５と一体に動作する杆受体５２と、該杆受体５２に対し相対運動可能なロック体２０とを備え、杆受体５２に、連動杆８の端部を受入れる受入凹入部５３を設けると共に、ロック体２０に、受入凹入部５３内の連動杆８と係合して該連動杆８の受入凹入部５３内での移動を規制する規制部２５を設けた。
【０００６】
請求項２記載の発明は、ロック体２０が不用意に動作して杆受体５２と連動杆８との連結が不用意に外れるのを簡易に防止できるようにするため、図１に示すように、ロック体２０を、弾性体９を介して支持し、弾性体９を撓ませながら規制部２５が受入凹入部５３内の連動杆８と係合するようにした。
【０００７】
【発明の作用効果】
請求項１記載の発明では、連動杆８の端部を、杆受体５２の受入凹入部５３にその開放側から差込み、ロック体２０を操作して、該ロック体２０の規制部２５を前記受入凹入部５３内の連動杆８端部に係合させることにより、杆受体５２と連動杆８とを隙間なく連結することができ、また、ロツク体２０を操作することにより、規制部２５の連動杆８端部との係合を解除できる。従って、杆受体５２と連動杆８とを、寸法公差に影響されることなく連結できるから、調量レバー６の揺動角に対する調量弁５の開度の精度が良好に得られて、しかも、連動杆８の端部を、受入凹入部５３にその開放側から差込んで、ロック体２０を動作させるだけの簡単な操作で、調量弁５と連動杆８との連結・離脱操作を容易に行うことができるのである。
【０００８】
請求項２記載の発明では、ロック体２０を、弾性体９を撓ませながら回転させない限り、ロック体２０が回転しないため、このロック体２０が不用意に回転するのを防止でき、杆受体５２と連動杆８との連結状態を確実に維持できるのである。
【０００９】
【発明の実施形態】
図４〜図６に示した背負式散布機は、作業者が背中に背負う背負部１ａをもつ背負枠１の背面側に、エンジン２を装備し且つ上部に横長状の散布剤受入口３１をもつ送風装置３を取付け、この送風装置３の上方に、上部に散布剤投入口４１をもち且つ底部を横長状に形成した散布剤タンク４を着脱可能に装着している。
【００１０】
この散布剤タンク４は、上部の投入口４１側から底部に向かって絞り込まれた略漏斗状で、底面を開放したタンク本体４Ａと、該タンク本体４Ａの底部に、下方側から着脱可能に挿嵌支持する角形リング状の弁箱４Ｂとから成り、これらタンク本体４Ａと弁箱４Ｂとの左右両側を、逆Ｕ字形のボルト４２とナット４３とで着脱可能に結合すると共に、前記弁箱４Ｂのタンク本体４Ａから下方への突出部内側に、散布剤タンク４内の散布剤を調量して前記受入口３１に供給する調量弁５を、横方向の弁軸５１を介して開閉自在に設けている。尚、タンク本体４Ａと弁箱４Ｂとを一体として散布剤タンクを構成してもよい。
【００１１】
前記送風装置３の散布剤受入口３１と、散布剤タンク４の底部、詳しくは、タンク本体４Ａの下部及び弁箱４Ｂとを、それぞれ左右方向が広幅となる横長状に形成して、送風装置３における受入口３１を挾んで対向する二つの位置の一方と弁箱４Ｂの一側とに、嵌め込みにより係合して互いに連結する第１及び第２連結部３２，４４を設けると共に、受入口３１を挾んで対向する二つの位置の他方に、弁箱４Ｂの下部他側に着脱可能に係合するレバーから成る係合体１０を設けて、この係合体６により、散布剤タンク４と送風装置３とを互いに離脱可能に連結している。
【００１２】
送風装置３は、前記エンジン２により駆動されるファン３Ａと、該ファン３Ａを内蔵したファンケース３Ｂとから成り、このファンケース３Ｂ内に、ファン３Ａの回りに沿って延びる送風通路３３と、この送風通路３３の出口近くから前記散布剤受入口３１に連通する散布剤供給路３４とを備え、送風通路３３の出口にエルボ管１１を介して噴管を着脱可能に接続するようにしている。
【００１３】
また、ファンケース３Ｂの下部一側に、レバー受体１２を取付け、このレバー受体１２に、横軸から成る枢支部１３を中心として上下方向に揺動可能な調量レバー６と、該調量レバー６を案内するレバーガイド７とを装着し、調量レバー６の反操作部側端部と前記弁軸５１の端部に突設した杆受体５２とを、上下方向に延びる連動杆８で連結し、調量レバー６の上下方向の揺動操作で前記調量弁５を開閉動作させるようにしている。
【００１４】
連動杆８は、長尺の縦杆部８１と、該縦杆部８１の上端から横方向に延びる短尺の横杆部８２とから成り、この横杆部８２を縦杆部８１に対し１８０度首振り自在に連結していると共に、横杆部８２の先端側に抜止段部８３を設けている。
【００１５】
杆受体５２は、弁軸５１の弁箱４Ｂ外方への突出端から半径方向外方に延びる板状部５２ａと、該板状部５２ａの先端上部からさらに外方に突出する摘み部５２ｂとから成り、板状部５２ａの先端下側角部に、弁軸５１に向かって斜め上方に延びる傾斜溝から成る受入凹入部５３を設け、この受入凹入部５３に前記連動杆８の横杆部８２を受入れるようにしている。
【００１６】
そして、前記弁軸５１の杆受体５２からさらに外方に突出する突出端部５４に、中心部に円形嵌合凹部９１をもち、この円形嵌合凹部９１の回りに円形支持部９２をもち、さらにこの円形支持部９２の一端に抜止鍔部９３をもつ合成樹脂製の弾性体９を着脱可能に取付け、この弾性体９の円形支持部９２に、ロック体２０を杆受体５２に対し相対回転可能に支持している。
【００１７】
このロック体２０は、一端側に前記円形支持部９２に挿嵌する嵌合孔２１をもつ板状部２２と、該板状部２２の反嵌合孔側上部から外方に突出する摘み部２３とから成り、板状部２２の摘み部２３側下部に、上方に向かって延びる縦溝２４を設けて、この縦溝２４の奥部で、その片側壁部を、受入凹入部５３内の横杆部８２と係合して該横杆部８２の受入凹入部５３内での移動を規制する規制部２５とし、前記縦溝２４の入口側をガイド部２６として、このガイド部２６を経て規制部２５が連動杆の横杆部８２と係合するようにしている。
【００１８】
このガイド部２６は、図２のようにロック体２０の回転中心Ｏからの長さＨ１が、ロック体２０の回転中心Ｏから規制部２５までの長さＨ２より短く形成して、ガイド部２６を経て規制部２５が横杆部８２に係合するとき、前記長さＨ１とＨ２との差分だけ前記弾性体９の円形支持部９２が撓み、規制部２５が横杆部８２に係合したとき、前記円形支持部９２が弾性復元するようにしている。斯くすることにより、ロック体２０を、弾性体９を撓ませながら回転させない限り、ロック体２０が回転しないため、このロック体２０が不用意に回転するのを防止でき、杆受体５２と連動杆８との連結状態を確実に維持できるのである。
【００１９】
また、図２、図３に示すように、杆受体５２の弁軸５１側端部とロック体２０の嵌合孔２１側端部との対向面一方には、ロック体２０の回転方向に延びるガイド凹部５５を設け、他方には、該ガイド凹部５５と係合してロック体２０の杆受体５２に対する回転範囲を規制する係合突起２７を突設していると共に、ガイド凹部５５の長さ方向中間に、前記係合突起２７と係合してロック体２０を非係合状態に仮り止めする微小突部５６を設けている。
【００２０】
調量レバー６は、レバー受体１２と一体に形成された前記枢支部１３に揺動可能に支持される角筒状の基レバー体６Ａと、この基レバー体６Ａの内側にスライド可能に支持され且つ外方への突出部に操作部６０をもつ先レバー体６Ｂとから成り、この先レバー体６Ｂを背負部１ａに対し前方に大きく突出させて、作業者が背負った状態で自由端側操作部６０を把持して水平に近い状態から上方に向かって調量弁５の開度調節領域及び該開度調節領域を越えてさらに上方に揺動可能にしている。
【００２１】
以上の構成において、散布剤タンク４を送風装置３から取外す場合、ロック体２０を上方に回転させると、規制部２５が受入凹入部５３から離れて、規制部２５の連動杆８における横杆部８２との係合が外れ、受入凹入部５３の入口側が開放される。従って、連動杆は受入凹入部５３の入口から容易に取り出すことができる。
【００２２】
また、散布剤タンク４を送風装置３に取付ける場合、連動杆８の横杆部８２を受入凹入部５３の入口側から奥部に差込んでロック体２０を下方に回転させることにより、該ロック体２０のガイド部２６が横杆部８２と係合し、続いて規制部２５が横杆部８２と係合して、横杆部８２が受入凹入部５３から抜け出るのを防止できる。
【００２３】
尚、以上の実施形態では、ロック体２０を杆受体５２に対し回転可能に構成したが、その他、ロック体２０を杆受体５２に対しスライド可能に構成してもよい。
【００２４】
また、本発明の調量装置は、実施形態のように背負式散布機に装備するものである他、トラクタなどに搭載あるいは牽引される散布機に装備するものであつてもよい。
【図面の簡単な説明】
【図１】本発明調量装置の斜視図。
【図２】同調量装置の正面図。
【図３】図２のＸーＸ線断面図。
【図４】調量装置を装備した散布機の一部を断面した正面図。
【図５】同調量装置を装備した散布機の散布剤タンク・背負部を省略した平面図。
【図６】同調量装置を装備した散布機の一部を断面した側面図。
【符号の説明】
４    散布剤タンク
５    調量弁
５２    杆受体
５３    受入凹入部
８    連動杆
２０    ロック体
２５    規制部
９    弾性体
【図１】
0003554909.tif 000002
【図２】
0003554909.tif 000003
【図３】
0003554909.tif 000004
【図４】
0003554909.tif 000005
【図５】
0003554909.tif 000006
【図６】
0003554909.tif 000007